(57)【要約】      （修正有）【課題】もともとはただの貯金箱だった単純な装飾品に、貯金箱として以外に、電子通信製品の普及に対応し、電子機器スタンドとしての機能を持たせる二重の機能を備える電子機器を置くことができる貯金箱を提供する。【解決手段】電子機器を置くことができる貯金箱１は中空容器で、硬貨投入孔１１を備える。貯金箱１には別にガード部１２、サポート部１３を設置する。サポート部１３の位置はガード部１２より高い。電子機器を貯金箱１に置くと、ガード部１２は電子機器の底面と接触し、底面の滑りを防止する。サポート部１３と電子機器の背面とは接触し、電子機器は傾斜状を呈して貯金箱１上に置かれる。これにより、貯金箱１を普段から机上に置き、使用者は硬貨を投入して貯金し、或いは携帯電話或いはタブレットＰＣなどの電子機器を置いて支えることができる。【選択図】図１
0003191786.tif 000002
【実用新案登録請求の範囲】
【請求項１】
電子機器を置くことができる貯金箱であって、
前記貯金箱は、中空容器で、硬貨投入孔を備え、
前記貯金箱には別に、ガード部、サポート部を設置し、
前記サポート部の位置は、前記ガード部より高く、
電子機器を、前記貯金箱に置くと、前記ガード部は電子機器の底面と接触し、底面の滑りを防止し、
前記サポート部と電子機器の背面とは接触し、これにより電子機器は、傾斜状を呈して、前記貯金箱上に置かれることを特徴とする電子機器を置くことができる貯金箱。
【請求項２】
前記貯金箱の形態は、カップ状体、液面飾板からなり、
前記液面飾板は、前記カップ状体内に設置され、全体の形状は、液体を入れたゴブレットに類似し、
前記サポート部は、前記カップ状体のカップの縁に位置し、前記ガード部は、前記液面飾板上表面と、前記カップ状体に近接する内壁により構成することを特徴とする請求項１に記載の電子機器を置くことができる貯金箱。
【請求項３】
前記貯金箱は、中空の貯金箱で、
前記ガード部と前記サポート部は、前記貯金箱の頂点面に位置し、
前記ガード部の位置は、前記サポート部より低く、
前記サポート部は、斜面で、前記ガード部は、前記貯金箱表面に突出するガードブロックであることを特徴とする請求項１に記載の電子機器を置くことができる貯金箱。
【請求項４】
前記サポート部は、前記貯金箱上に可動接続し、前記貯金箱の上表面に位置し、
前記可動接続構造は、緊密な対応を備えるため、前記サポート部が、持ち上げられ、しかも外力が消失した後も、前記サポート部は、前記上表面と一定の挟角を維持することを特徴とする請求項１に記載の電子機器を置くことができる貯金箱。
【請求項５】
前記サポート部の中央部分にはさらに、滑り止め部品を備え、
サポート状態で使用すると、前記滑り止め部品は、電子機器の背面と接触することを特徴とする請求項４に記載の電子機器を置くことができる貯金箱。
【請求項６】
前記ガード部は、凹槽で、
前記凹槽は、前記貯金箱の上表面に形成されることを特徴とする請求項１に記載の電子機器を置くことができる貯金箱。
【考案の詳細な説明】
【技術分野】
【０００１】
本考案は、貯金箱に関し、貯金箱と電子機器スタンドの機能を兼ね備えた電子機器を置くことができる貯金箱に関する。
【背景技術】
【０００２】
貯金箱はコンパクトで場所を取らないため、机上に置き、小銭を集めるために用いる人が多い。デザインが特殊な貯金箱は、単調な机上に個性的な味わいと風格を加えてくれる。
一方、スマートフォン、或いは７〜５型のタブレットＰＣなどのポータブル電子機器は、電話をかけることができる他、ビデオを観賞したり、ゲームを楽しんだりすることができる。いつでも電話を受け取れるよう、或いはこれらを利用してビデオを観賞するため、机の前に着席すると、携帯電話或いはタブレットＰＣを習慣的に机上に置く人がいる。しかし、机上に置くためのスタンドを別に購入すると、ポータブル電子機器の位置を簡単に固定することができるが、普段使用しない時には、机上のスペースを占拠する。
そのため、本考案者は、机上で常用される用品に、別の機能を付加し、便利な使用形態をもたらすことを考えた。
【考案の概要】
【考案が解決しようとする課題】
【０００３】
本考案の主要な目的は、もともとはただの貯金箱だった単純な装飾品に、貯金箱として以外に、電子通信製品の普及に対応し、電子機器スタンドとしての機能を持たせる二重の機能を備える電子機器を置くことができる貯金箱を提供することにある。
【課題を解決するための手段】
【０００４】
本考案による電子機器を置くことができる貯金箱は、中空容器で、硬貨投入孔を備える。
貯金箱には別に、ガード部、サポート部を設置し、サポート部の位置は、ガード部より高い。電子機器を、貯金箱に置くと、ガード部は電子機器の底面と接触し、底面の滑りを防止し、サポート部と電子機器の背面とは接触し、これにより電子機器は、傾斜状を呈して、前記貯金箱上に置かれる。
【考案の効果】
【０００５】
本考案は、もともとはただの貯金箱だった単純な装飾品に、貯金箱として以外に、電子通信製品の普及に対応し、電子機器スタンドとしての機能を持たせる二重の機能を備えることができる。
【図面の簡単な説明】
【０００６】
【図１】本考案第一実施形態の立体図である。
【図２】本考案一実施形態の使用状態を示す模式図である。
【図３】本考案第一実施形態の分解図である。
【図４】本考案第二実施形態の立体図である。
【図５】本考案第二実施形態の使用状態を示す模式図である。
【図６】本考案第三実施形態の立体図である。
【図７】本考案第三実施形態の使用状態を示す模式図である。
【図８】本考案第三実施形態のサポート部の収蔵状態を示す立体図である。
【考案を実施するための形態】
【０００７】
本考案の立体図、及び使用状態の模式図である図１、２に示すように、本考案の一実施形態による電子機器を置くことができる貯金箱１は、中空容器で、硬貨投入孔１１を備える。
貯金箱１には別に、ガード部１２、サポート部１３を設置する。サポート部１３の位置は、ガード部１２より高い。電子機器２を、貯金箱１に置くと、ガード部１２は電子機器２の底面と接触し、底面の滑りを防止する。サポート部１３と電子機器２の背面とは接触し、これにより電子機器２は、傾斜状を呈して、貯金箱１上に置かれる。
【０００８】
貯金箱１の形態は、単一の形状に制限されない。図１、３に示す実施形態では、貯金箱１は、カップ状体１０１、液面飾板１０２からなり、全体の形状は、液体を入れたゴブレットに類似する。液面飾板１０２は、カップ状体１０１内に設置され、両者により構成される空間には、硬貨を貯めることができる。
硬貨投入孔１１は、液面飾板１０２に位置し、硬貨は、硬貨投入孔１１を経由し、内部空間に投入される。サポート部１３は、カップ状体１０１のカップの縁に位置する。ガード部１２は、液面飾板１０２上表面と、カップ状体１０１に近接する内壁により構成する。
また、滑り止めのため、液面飾板１０２上表面は、スポンジ、クッションなどの摩擦係数の高い材質により構成する。この実施形態は主に、幅が比較的狭いスマートフォンの設置に適用する(図２参照)。携帯電話の幅が、カップ状体１０１のカップ口より大きい、或いは携帯電話を横向きに置く際には、適していない。
【０００９】
本考案第二実施形態の立体図、及び使用模式図である図４、５に示すように、貯金箱１ｂは、演台の形状に似ており、形態は中空の貯金箱である。硬貨投入孔１１は、垂直面の側壁に位置し、ガード部１２ｂとサポート部１３ｂは、貯金箱１ｂの頂点面に位置する。ガード部１２ｂの位置は、サポート部１３ｂより低い。本実施形態中では、サポート部１３ｂは、斜面で、ガード部１２ｂは、貯金箱１ｂ表面に突出するガードブロックである。電子機器を、貯金箱１ｂ上に置くと、サポート部１３ｂは、電子機器２の背面に接触して支え、ガード部１２は、電子機器２の底面の滑りを防止する。
この実施形態の長所は、電子機器２を貯金箱１ｂ上で、縦に置こうと、横に置こうと、電子機器２の幅に対応できる点で、これにより、より多くの幅、種類の電子機器２に適用させることができる。
【００１０】
本考案第三実施形態の立体図である図６に示すように、本実施形態中の貯金箱１ｃは、扁平で幅が広い中空の貯金箱である。その構造は、硬貨投入孔１１、サポート部１３ｃ、ガード部１２ｃを備える。サポート部１３ｃの位置は、やはりガード部１２ｃより高い。本実施形態中のサポート部１３ｃは、貯金箱１ｃ上に可動接続し、上表面１０３に位置する。
上記した可動接続構造は、緊密な対応を備えるため、サポート部１３ｃが、持ち上げられ、しかも外力が消失した後も、サポート部１３ｃは、上表面１０３と一定の挟角を維持する。サポート部１３ｃの中央部分にはさらに、滑り止め部品１３１を備える。滑り止め部品１３１は、摩擦係数の高い材質により構成する。使用状態では、滑り止め部品１３１は、電子機器２の背面と接触し、電子機器２の傾きを防止することができる。ガード部１２ｃは、凹槽で、凹槽は、上表面１０３に形成する。
【００１１】
本実施形態の貯金箱１ｃは、図７に示すように、扁平で幅が広い設計であるため、さらに幅が広いタブレットＰＣ３を置くことができる。ガード部１２ｃの凹槽は、タブレットＰＣ３の底面を制限でき、サポート部１３ｃは、タブレットＰＣ３の背面と接触し、サポートと固定の目的を達成することができる。
【００１２】
図８に示すように、サポート部１３ｃは、貯金箱１ｃ上に可動接続する。サポートとして用いない場合には、サポート部１３ｃを下方へと倒し、上表面１０３と接触させる。こうして、貯金箱１ｃの外観はシンプルで美しくなる。
【００１３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１４】
１、１ｂ、１ｃ  貯金箱
１０１  カップ状体
１０２  液面飾板
１０３  上表面
１１  硬貨投入孔
１２、１２ｂ、１２ｃ  ガード部
１３、１３ｂ、１３ｃ  サポート部
１３１  滑り止め部品
２  電子機器
３  タブレットＰＣ
【図１】
0003191786.tif 000003
【図２】
0003191786.tif 000004
【図３】
0003191786.tif 000005
【図４】
0003191786.tif 000006
【図５】
0003191786.tif 000007
【図６】
0003191786.tif 000008
【図７】
0003191786.tif 000009
【図８】
0003191786.tif 000010